(57)【要約】  【課題】  画像の色を人間の視認性に応じて補正することのできる画像処理装置、画像処理プログラムを提供する。  【解決手段】  調整値候補保持部１５３が画像の色調整を行う際の調整値の候補を複数保持し、画像読取部１５１が原稿に基づいて生成された画像を取得し、取得した画像の少なくとも一部を、調整サンプル作成部１５４が調整値候補保持部１５３に保持されてい調整値の候補により色調整した選択用画像を生成し、表示部１５７が選択用画像を表示手段に表示させる。そして、表示させた選択用画像に応じて入力された選択指示を入力部１５８が受け付け、設定部１５９が受け付けた選択指示に対応する選択用画像を生成した調整値の候補を画像の色調整を行う際の調整値として調整テーブル１６０に設定し、色調整部１６１が画像読取部１５１が原稿に基づいて生成された画像を調整テーブル１６０に設定された調整値により色調整する。【選択図】        図２
2009089141.tif 000002
【特許請求の範囲】
【請求項１】
原稿に基づいて生成された画像を取得する画像取得手段と、
画像の色調整を行う際の調整値の候補を複数保持する調整値候補保持手段と、
前記画像取得手段が取得した画像の少なくとも一部を、前記調整値候補保持手段が保持する調整値の候補により色調整した選択用画像を生成する選択用画像生成手段と、
前記選択用画像生成手段が生成した選択用画像を表示手段に表示させる選択用画像表示手段と、
前記選択用画像表示手段が表示させた選択用画像に応じて入力された選択指示を受け付ける選択指示受付手段と、
前記選択指示受付手段が受け付けた選択指示に対応する選択用画像を生成した調整値の候補を画像の色調整を行う際の調整値として設定する調整値設定手段と、
前記画像取得手段が取得した画像を前記調整値設定手段により設定された調整値により色調整する色調整手段と
を具備することを特徴とする画像処理装置。
【請求項２】
原稿を読み取って画像を生成する画像生成手段をさらに具備し、
前記画像取得手段は、前記画像生成手段が生成した画像を取得する
ことを特徴とする請求項１記載の画像処理装置。
【請求項３】
前記選択用画像生成手段は、前記画像取得手段が取得した画像から背景部を抽出し、該抽出した背景部を前記調整値候補保持手段が保持する調整値の候補により色調整して前記選択用画像を生成することを特徴とする請求項１記載の画像処理装置。
【請求項４】
前記選択用画像生成手段は、前記画像取得手段が取得した画像を縮小し、該縮小した画像を前記調整値候補保持手段が保持する調整値の候補により色調整して前記選択用画像を生成することを特徴とする請求項１記載の画像処理装置。
【請求項５】
原稿に基づいて生成された画像を取得する画像取得処理と、
画像の色調整を行う際の調整値の候補を複数保持する調整値候補保持手段から取得した調整値の候補により前記画像取得処理で取得した画像の少なくとも一部を色調整した選択用画像を生成する選択用画像生成処理と、
前記選択用画像生成処理で生成した選択用画像を表示手段に表示させる選択用画像表示処理と、
前記選択用画像表示処理で表示させた選択用画像に応じて入力された選択指示を受け付ける選択指示受付処理と、
前記選択指示受付処理で受け付けた選択指示に対応する選択用画像を生成した調整値の候補を画像の色調整を行う際の調整値として設定する調整値設定処理と、
前記画像取得処理で取得した画像を前記調整値設定処理により設定した調整値により色調整する色調整処理と
を演算手段に実行させることを特徴とする画像処理プログラム。
【請求項６】
前記選択用画像生成処理は、前記画像取得処理で取得した画像から背景部を抽出し、該抽出した背景部を前記調整値候補保持手段が保持する調整値の候補により色調整して前記選択用画像を生成することを特徴とする請求項５記載の画像処理プログラム。
【請求項７】
前記選択用画像生成処理は、前記画像取得処理で取得した画像を縮小し、該縮小した画像を前記調整値候補保持手段が保持する調整値の候補により色調整して前記選択用画像を生成することを特徴とする請求項５記載の画像処理プログラム。
【発明の詳細な説明】
【技術分野】
【０００１】
本発明は、画像処理装置、画像処理プログラムに関する。
【背景技術】
【０００２】
文書等の原稿をスキャナ等の画像読取装置で読み取って画像を生成した場合や、原稿を複写機で複写した場合に、その出力である画像や複写結果が元の原稿と異なる色となってしまう場合がある。このため、複写機等においてグレーバランスを補正する技術が提案されている（例えば、特許文献１参照）。
【０００３】
また、光源の色温度に応じてグレーバランスを補正する技術も提案されている（例えば、特許文献２参照）。
【特許文献１】特開平７−２２２０１３号公報
【特許文献２】特開平７−３２２２７４号公報
【発明の開示】
【発明が解決しようとする課題】
【０００４】
ところで、文書等の原稿に多く使われる白色の用紙は、実際には色づいていることが多い。これは、人間の感覚において、青白い色をきれいな白色と認識する傾向があるためである。このような原稿に基づいて画像の生成や複写を行った場合、原稿の色を忠実に再現すると、その出力は青みがかったものとなる。
【０００５】
また、画像をディスプレイ等の表示装置で表示した場合、その表示装置に設定された色温度の相違により、画像の色が異なる色として認識されることがある。具体的には、色温度が高い場合には、画像は青みがかった色として認識され、色温度が低い場合には、画像は赤みがかった色として認識される。特に、白色の背景を有する画像では、この傾向が顕著に現れる。
【０００６】
そこで、本発明は、画像の色を人間の視認性に応じて補正することのできる画像処理装置、画像処理プログラムを提供することを目的とする。
【課題を解決するための手段】
【０００７】
上述した目的を達成するため、請求項１の発明は、原稿に基づいて生成された画像を取得する画像取得手段と、画像の色調整を行う際の調整値の候補を複数保持する調整値候補保持手段と、前記画像取得手段が取得した画像の少なくとも一部を、前記調整値候補保持手段が保持する調整値の候補により色調整した選択用画像を生成する選択用画像生成手段と、前記選択用画像生成手段が生成した選択用画像を表示手段に表示させる選択用画像表示手段と、前記選択用画像表示手段が表示させた選択用画像に応じて入力された選択指示を受け付ける選択指示受付手段と、前記選択指示受付手段が受け付けた選択指示に対応する選択用画像を生成した調整値の候補を画像の色調整を行う際の調整値として設定する調整値設定手段と、前記画像取得手段が取得した画像を前記調整値設定手段により設定された調整値により色調整する色調整手段とを具備することを特徴とする。
【０００８】
また、請求項２の発明は、請求項１の発明において、原稿を読み取って画像を生成する画像生成手段をさらに具備し、前記画像取得手段は、前記画像生成手段が生成した画像を取得することを特徴とする。
【０００９】
また、請求項３の発明は、請求項１の発明において、前記選択用画像生成手段は、前記画像取得手段が取得した画像から背景部を抽出し、該抽出した背景部を前記調整値候補保持手段が保持する調整値の候補により色調整して前記選択用画像を生成することを特徴とする。
【００１０】
また、請求項４の発明は、請求項１の発明において、前記選択用画像生成手段は、前記画像取得手段が取得した画像を縮小し、該縮小した画像を前記調整値候補保持手段が保持する調整値の候補により色調整して前記選択用画像を生成することを特徴とする。
【００１１】
また、請求項５の発明は、原稿に基づいて生成された画像を取得する画像取得処理と、画像の色調整を行う際の調整値の候補を複数保持する調整値候補保持手段から取得した調整値の候補により前記画像取得処理で取得した画像の少なくとも一部を色調整した選択用画像を生成する選択用画像生成処理と、前記選択用画像生成処理で生成した選択用画像を表示手段に表示させる選択用画像表示処理と、前記選択用画像表示処理で表示させた選択用画像に応じて入力された選択指示を受け付ける選択指示受付処理と、前記選択指示受付処理で受け付けた選択指示に対応する選択用画像を生成した調整値の候補を画像の色調整を行う際の調整値として設定する調整値設定処理と、前記画像取得処理で取得した画像を前記調整値設定処理により設定した調整値により色調整する色調整処理とを演算手段に実行させることを特徴とする。
【００１２】
また、請求項６の発明は、請求項５の発明において、前記選択用画像生成処理は、前記画像取得処理で取得した画像から背景部を抽出し、該抽出した背景部を前記調整値候補保持手段が保持する調整値の候補により色調整して前記選択用画像を生成することを特徴とする。
【００１３】
また、請求項７の発明は、請求項５の発明において、前記選択用画像生成処理は、前記画像取得処理で取得した画像を縮小し、該縮小した画像を前記調整値候補保持手段が保持する調整値の候補により色調整して前記選択用画像を生成することを特徴とする。
【発明の効果】
【００１４】
本発明によれば、画像の色を人間の視認性に応じて補正することができる。
【発明を実施するための最良の形態】
【００１５】
以下、本発明に係る画像処理装置、画像処理プログラムの一実施の形態について、添付図面を参照して詳細に説明する。
【実施例１】
【００１６】
実施例１では、本発明を画像読取装置に適用し、出力画像または複写結果の背景部の色調整を行う例を説明する。
【００１７】
図１は、画像読取装置の構成を示すブロック図である。同図に示すように、画像読取装置１００は、演算部１０１と、記憶部１０２、一時記憶部１０３、画像読取部１０４、表示装置接続部１０５、表示装置１０６、入力装置接続部１０７、入力装置１０８、通信部１０９、画像形成部１１０を有している。
【００１８】
演算部１０１は、プログラム等にしたがって演算処理を行うもので、例えば、ＣＰＵ（Central Processing Unit）等のプロセッサにより実現されるものである。
【００１９】
記憶部１０２、画像読取装置１００を動作させるための情報や演算部１０１に処理を実行させるためのプログラム等を記憶するもので、例えば、ＲＯＭ（Read Only Memory）、不揮発性メモリ(Nonvolatile Memory)等のメモリで実現されるものである。
【００２０】
一時記憶部１０３は、演算部１０１が動作する際に必要な情報等を一時的に記憶するもので、例えば、ＲＡＭ（Random Access Memory）等のメモリで構成される。
【００２１】
画像読取部１０４は、原稿を光学的に読み取り、その結果に基づいて画像を生成し、生成した画像を電気信号として出力する。
【００２２】
表示装置接続部１０５は、表示装置１０６を接続するインタフェイスであり、表示装置１０６は、利用者に対して情報等を提示するもので、例えば、液晶ディスプレイにより実現される。
【００２３】
入力装置接続部１０７は、入力装置１０８を接続するインタフェイスであり、入力装置１０８は、利用者からの指示等を受け付けるもので、例えば、キーボードやタッチパネル（表示装置１０６として液晶ディスプレイを採用した場合にこれと一体化しているもの）により実現される。
【００２４】
通信部１０９は、ネットワークや情報処理装置との接続を行うためのインタフェイスである。
【００２５】
画像形成部１１０は、電気信号で表現される画像に基づいて、用紙等の媒体上に画像を形成する。
【００２６】
なお、画像読取装置１００が複写機能を有さない場合には、画像形成部１１０は不要であり、画像読取装置１００がスキャナ機能を有さない場合には、通信部１０９は不要である。
【００２７】
次に、画像読取装置１００の機能的な構成につてい説明する。図２は、画像読取装置１００の機能的な構成を示すブロック図である。
【００２８】
同図に示すように、画像読取装置１００は、画像読取部１５１と、背景抽出部１５２、調整値候補保持部１５３、調整サンプル作成部１５４、調整結果保持部１５５、色プロファイル調整部１５６、表示部１５７、入力部１５８、設定部１５９、調整テーブル１６０、色調整部１６１、画像形成部１６２、画像出力部１６３を有している。
【００２９】
画像読取部１５１は、原稿を光学的に読み取り、その結果に基づいて画像を生成するもので、演算部１０１と画像読取部１０４により実現される。
【００３０】
背景抽出部１５２は、画像読取部１５１が生成した画像から背景部を抽出するもので、演算部１０１により実現される。
【００３１】
調整値候補保持部１５３は、色調整を行う際に要する調整値の候補を保持するもので、記憶部１０２により実現される。
【００３２】
調整サンプル作成部１５４は、背景抽出部１５２が抽出した画像の背景部に対し、調整値候補保持部１５３が保持する調整値の候補のそれぞれを利用して色調整を施し、調整結果のサンプル画像を複数生成するもので、演算部１０１により実現される。
【００３３】
調整結果保持部１５５は、調整サンプル作成部１５４が作成した複数のサンプル画像を保持するもので、一時記憶部１０３により実現される。
【００３４】
色プロファイル調整部１５６は、調整結果保持部１５５が保持する複数のサンプル画像のそれぞれに対し、表示装置１０６に対応する色プロファイルに応じて色調整を施すもので、演算部１０１と記憶部１０２により実現される。
【００３５】
表示部１５７は、色プロファイル調整部１５６が色調整した複数のサンプル画像を、それぞれ、表示装置１０６に表示させるもので、演算部１０１と表示装置接続部１０５により実現される。
【００３６】
入力部１５８は、表示装置１０６に表示させた複数のサンプル画像から利用者が選択したサンプル画像の選択指示等を受け付けるために入力部１０８を動作させるもので、演算部１０１と入力装置接続部１０７により実現される。
【００３７】
設定部１５９は、入力部１５８が受け付けた選択指示で選択されたサンプル画像に対応する調整値の候補を調整値候補保持部１５３から取得し、調整値として調整テーブルに設定するもので、演算部１０１により実現される。
【００３８】
調整テーブル１６０は、色調整部１６１が色調整に用いる調整値として、設定部１５９により設定された調整値を保持するもので、記憶部１０２または一時記憶部１０３により実現される。
【００３９】
色調整部１６１は、画像読取部１５１が生成した画像に対し、調整テーブル１６０が保持する調整値を用いて色調整を施すもので、演算部１０１により実現される。
【００４０】
画像形成部１６２は、色調整部１６１により色調整が施された画像を用紙等の媒体上に形成するもので、演算部１０１と画像形成部１１０により実現される。
【００４１】
画像出力部１６３は、色調整部１６１により色調整が施された画像を、ネットワークや情報処理装置等の画像読取装置１００の外部に出力するもので、演算部１０１と通信部１０９により実現される。
【００４２】
続いて、画像読取装置１００の動作について説明する。図３は、画像読取装置１００の動作の流れを示すフローチャートである。
【００４３】
画像読取装置１００は、処理を開始すると、まず、画像読取部１５１が、原稿の特定領域をプレスキャンとして読み取り、画像を生成する（ステップ２０１）。特定領域は、予め定めた領域であるが、これは、ここで生成した画像を出力対象としないため、原稿の全面を読み取る必要がないためである。もちろん、原稿の全面を読み取るようにしても差し支えは無い。
【００４４】
次に、背景抽出部１５２が、画像読取部１５１が生成した画像から背景部を抽出する（ステップ２０２）。そして、調整サンプル作成部１５４が、調整値候補保持部１５３から調整値の候補を読み込み（ステップ２０３）、読み込んだ調整値の候補に基づいて背景部の画像を色調整してサンプル画像を作成し、調整結果保持部１５５に保持させる（ステップ２０４）。調整サンプル作成部１５４は、調整値候補保持部１５３が保持する全ての調整値の候補に基づいてサンプル画像を作成するまで同様の処理を繰り返す（ステップ２０５でＮＯ）。
【００４５】
調整サンプル作成部１５４が調整値候補保持部１５３が保持する全ての調整値の候補に基づいてサンプル画像を作成すると（ステップ２０５でＹＥＳ）、色プロファイル調整部１５６が、調整結果保持部１５５に保持されているサンプル画像を色プロファイルに基づいて色調整し（ステップ２０７）、その結果を、表示部１５７が表示装置１０６に表示させる（ステップ２０８）。色プロファイル調整部１５６による色調整処理と表示部１５７による表示処理は、調整結果保持部１５５に保持されている全てのサンプル画像を表示するまで繰り返される（ステップ２０９でＮＯ）。
【００４６】
その後、画像読取装置１００の利用者が、表示装置１０６に表示されたサンプル画像のいずれかを選択して、その選択指示を入力装置１０８から入力し、当該入力を入力部１５８が受け付けると（ステップ２０９でＹＥＳ）、設定部１５９が、選択されたサンプル画像に対応する調整値の候補を調整テーブル１６０に設定し（ステップ２１０）、スキャン若しくは複写の準備が完了したことを、表示部１５７を介して表示装置１０６に表示して利用者に通知する（ステップ２１１）。
【００４７】
そして、画像読取装置１００の利用者が、スキャン若しくは複写の開始指示を入力装置１０８から入力し、当該入力を入力部１５８が受け付けると（ステップ２１２でＹＥＳ）、画像読取部１５１が原稿を読み取り、画像を生成する（ステップ２１３）。
【００４８】
続いて、色調整部１６１が、調整テーブル１６０から調整値を読み込み（ステップ２１４）、読み込んだ調整値に基づいて画像を色調整し（ステップ２１５）、その結果を画像形成部１６２が用紙等の媒体上に画像形成するか、画像出力部１６３が情報処理装置等に出力し（ステップ２１６）、処理を終了する。
【実施例２】
【００４９】
実施例２では、本発明を情報処理装置に適用し、この情報処理装置に接続された表示装置における画像の表示に対応した色調整を行う例を説明する。
【００５０】
図４は、情報処理装置の構成を示すブロック図である。同図に示すように、情報処理装置３００は、演算部３０１と、記憶部３０２、一時記憶部３０３、記憶装置接続部３０４、記憶装置３０５、表示装置接続部３０６、入力装置接続部３０７、外部装置接続部３０８を有し、表示装置接続部３０６、入力装置接続部３０７、外部装置接続部３０８には、それぞれ、表示装置３０９、入力装置３１０、画像読取装置３１１が接続されている。
【００５１】
演算部３０１は、プログラム等にしたがって演算処理を行うもので、例えば、ＣＰＵ（Central Processing Unit）等のプロセッサにより実現されるものである。
【００５２】
記憶部３０２、情報処理装置３０２を動作させるための情報や演算部３０１に処理を実行させるためのプログラム等を記憶するもので、例えば、ＲＯＭ（Read Only Memory）、不揮発性メモリ(Nonvolatile Memory)等のメモリで実現されるものである。
【００５３】
一時記憶部３０３は、演算部３０１が動作する際に必要な情報等を一時的に記憶するもので、例えば、ＲＡＭ（Random Access Memory）等のメモリで構成される。
【００５４】
記憶装置接続部３０４は、記憶装置３０５を接続するインタフェイスであり、記憶装置３０５は、情報を記憶するもので、例えば磁気ディスク等で実現されるものである。
【００５５】
表示装置接続部３０６は、表示装置３０９を接続するインタフェイスであり、表示装置３０９は、利用者に対して情報等を提示するもので、例えば、液晶ディスプレイにより実現される。
【００５６】
入力装置接続部３０７は、入力装置３１０を接続するインタフェイスであり、入力装置３１０は、利用者からの指示等を受け付けるもので、例えば、キーボードやポインティングデバイスにより実現される。
【００５７】
外部装置接続部３０８は、画像読取装置３１１を接続するインタフェイスであり、画像読取装置３１１は、原稿を光学的に読み取り、その結果に基づいて画像を生成し、生成した画像を出力するものである。なお、外部装置接続部３０８は、ネットワークインタフェイスにより実現することも可能である。
【００５８】
次に、情報処理装置３００の機能的な構成について説明する。図５は、情報処理装置３００の機能的な構成を示すブロック図である。
【００５９】
同図に示すように、情報処理装置３００は、入出力制御部３５１と、調整値候補保持部３５２、色調整部３５３、調整結果保持部３５４、画処理部３５５、表示処理部３５６、指示受付部３５７、調整テーブル３５８、色調整部３５９を有している。なお、調整値候補保持部３５２、色調整部３５３、調整結果保持部３５４、画処理部３５５、調整テーブル３５８、色調整部３５９は、読取制御部３６０として情報処理装置３００でスキャナドライバ（プログラム）を動作させるにより実現される。また、入出力制御部３５１、表示処理部３５６、指示受付部３５７は、情報処理装置３００を動作させるオペレーティングシステム等により実現されるものである。
【００６０】
入出力処理部３５１は、画像読取装置３１１との間で画像を含む情報の授受を行うもので、演算部３０１と外部装置接続部３０８により実現される。
【００６１】
調整値候補保持部３５２は、色調整を行う際に要する調整値の候補を保持するとともに、指定された候補を調整値として調整テーブル３５８に設定するもので、演算部３０１と記憶装置３０５により実現される。
【００６２】
色調整部３５３は、入出力処理部３５１が画像読取装置３１１から取得した画像に対し、調整値候補保持部３５２が保持する調整値の候補のそれぞれを利用して色調整を施し、調整結果の画像を複数生成するもので、演算部３０１により実現される。
【００６３】
調整結果保持部３５４は、色調整部３５３が作成した複数の画像を保持するもので、記憶装置３０５により実現される。
【００６４】
画処理部３５５は、調整結果保持部３５４に保持されている画像や色調整部３５９で色調整が施された画像に対して、色調整以外の各種補正を施すもので、演算部３０１により実現される。
【００６５】
表示処理部３５６は、画処理部３５５で補正処理が施された画像を表示装置３０９に表示させるもので、演算部３０１と表示装置接続部３０６により実現される。
【００６６】
指示受付部３５７は、入力装置３１０から利用者が入力する指示等を受け付けるもので、演算部３０１と入力装置接続部３０７により実現される。
【００６７】
調整テーブル３５８は、色調整部３５９が色調整に用いる調整値として、調整値候補保持部３５２により設定された調整値を保持するもので、記憶装置３０５により実現される。
【００６８】
色調整部３５９は、入出力処理部３５１が画像読取装置３１１から取得した画像に対し、調整テーブル３５８が保持する調整値を用いて色調整を施すもので、演算部３０１により実現される。
【００６９】
続いて、情報処理装置３００の動作について説明するが、まず、色調整の際の調整値の設定処理について説明し、続けて、画像読取時の処理について説明する。図６は、色調整の際の調整値の設定処理の流れを示すフローチャートである。
【００７０】
情報処理装置３００は、処理を開始すると、まず、入出力処理部３５１が画像読取装置３１１から画像を取得する（ステップ４０１）。続いて、色調整部３５３が調整値候補保持部３５２から調整値の候補を読み込み（ステップ４０２）、読み込んだ調整値の候補に基づいて画像を色調整し（ステップ４０３）、調整結果保持部３５４に保持させる（ステップ４０４）。色調整部３５３は、調整値候補保持部３５２が保持する全ての調整値の候補に基づいて色調整を行うまで同様の処理を繰り返す（ステップ４０５でＮＯ）。
【００７１】
色調整部３５３が調整値候補保持部３５２が保持する全ての調整値の候補に基づいて色調整を行うと（ステップ４０５でＹＥＳ）、画処理部３５５が、調整結果保持部３５４に保持されている画像に対して補正処理等を施し（ステップ４０６）、その結果を、表示処理部３５６が表示装置３０９に一覧表示させる（ステップ４０７）。
【００７２】
その後、情報処理装置３００の利用者が、表示装置３０９に表示された画像のいずれかを選択して、その選択指示を入力装置３１０から入力し、当該入力を指示受付部３５７が受け付けると（ステップ４０８でＹＥＳ）、調整値候補保持部３５２が、選択された画像に対応する調整値の候補を調整テーブル３５８に設定し（ステップ４０９）、調整値の設定処理を終了する。
【００７３】
図７は、画像読取時の処理の流れを示すフローチャートである。
【００７４】
情報処理装置３００は、処理を開始すると、まず、入出力処理部３５１が画像読取装置３１１から画像を取得する（ステップ４５１）。続いて、色調整部３５９が調整テーブル３５８から調整値を読み込み、読み込んだ調整値に基づいて画像を色調整する（ステップ４５２）。そして、画処理部３５５が、色調整部３５９が色調整を施した画像に対して補正処理等を施し（ステップ４５３）、その結果を、表示処理部３５６が表示装置３０９に表示させるとともに（ステップ４５４）、記憶装置３０５に保存し（ステップ４５５）、画像読取処理を終了する。
【図面の簡単な説明】
【００７５】
【図１】画像読取装置の構成を示すブロック図である。
【図２】画像読取装置１００の機能的な構成を示すブロック図である。
【図３】画像読取装置１００の動作の流れを示すフローチャートである。
【図４】情報処理装置の構成を示すブロック図である。
【図５】情報処理装置３００の機能的な構成を示すブロック図である。
【図６】色調整の際の調整値の設定処理の流れを示すフローチャートである。
【図７】画像読取時の処理の流れを示すフローチャートである。
【符号の説明】
【００７６】
１００    画像読取装置
１０１    演算部
１０２    記憶部
１０３    一時記憶部
１０４    画像読取部
１０５    表示装置接続部
１０６    表示装置
１０７    入力装置接続部
１０８    入力装置
１０９    通信部
１１０    画像形成部
１５１    画像読取部
１５２    背景抽出部
１５３    調整値候補保持部
１５４    調整サンプル作成部
１５５    調整結果保持部
１５６    色プロファイル調整部
１５７    表示部
１５８    入力部
１５９    設定部
１６０    調整テーブル
１６１    色調整部
１６２    画像形成部
１６３    画像出力部
３００    情報処理装置
３０１    演算部
３０２    記憶部
３０３    一時記憶部
３０４    記憶装置接続部
３０５    記憶装置
３０６    表示装置接続部
３０７    入力装置接続部
３０８    外部装置接続部
３０９    表示装置
３１０    入力装置
３１１    画像読取装置
３５１    入出力制御部
３５２    調整値候補保持部
３５３    色調整部
３５４    調整結果保持部
３５５    画処理部
３５６    表示処理部
３５７    指示受付部
３５８    調整テーブル
３５９    色調整部
３６０    読取制御部
【図１】
2009089141.tif 000003
【図２】
2009089141.tif 000004
【図３】
2009089141.tif 000005
【図４】
2009089141.tif 000006
【図５】
2009089141.tif 000007
【図６】
2009089141.tif 000008
【図７】
2009089141.tif 000009